(57)【要約】      （修正有）【課題】袋内に収納された物品に対する視認性を損なわずに、広告などの情報を表示しうる機内液体物持込用袋の提供。【解決手段】容量が１リットル以下の合成樹脂製の透明な平袋であって、袋本体の上方の中途位置に平袋の開口部を開閉するジッパー部を有しており、ジッパー部の上方に延出する表裏一対の上方片部に貫通する取手穴を１または複数設けており、平袋の表裏いずれか一方の面に空港の情報や広告または袋に収納可能な物品名を表示する表示欄が設けられている。【選択図】図１
0003132148.tif 000002
【実用新案登録請求の範囲】
【請求項１】
容量が１リットル以下の合成樹脂製の透明な平袋であって、袋本体の上方の中途位置に平袋の開口部を開閉するジッパー部を有しており、該ジッパー部の上方に延出する表裏一対の上方片部に貫通する取手穴を１または複数設けており、
前記平袋の表裏いずれか一方の面に空港の情報や広告を表示する表示欄が設けられていることを特徴とする機内液体物持込用袋。
【請求項２】
表示欄が、ジッパー部より下方の収納部の表面または裏面のいずれか一方のシート面の下方に配置されていることを特徴とする請求項２に記載の機内液体物持込用袋。
【請求項３】
表示欄が、上方片部に配置されていることを特徴とする請求項１に記載の機内液体物持込用袋。
【請求項４】
表示欄が、空港の情報または広告を表示する広告情報表示欄と、当該袋の使用方法や収納可能な物品リストなどの定型的な説明を表示する定型文表示欄とからなっていることを特徴とする請求項１から３のいずれかに記載の機内液体物持込用袋。
【考案の詳細な説明】
【技術分野】
【０００１】
この考案は、特に国際線の航空機内に液体を持ち込む際に使用する機内液体物持込用袋に関する。
【背景技術】
【０００２】
平成１９年３月１日より、航空機でのテロ防止の観点から、国際線の航空機内液体物持込については、概略次ぎのような制限が課せられることになった。
（１）あらゆる液体物を１００ｍｌ以下の個々の容器にいれる。
（２）それらの容器を１リットル以下のジッパー付無色透明プラスチック袋に余裕をもって入れる。
（３）旅客一人当たりの袋の数は一つのみ。
（４）手荷物検査を効率的に実施するため、上記プラスチック袋はバッグから取り出して、別々に検査員に提示する。
また上記袋は、縦横それぞれ２０ｃｍ以内が目安であり、長方形の場合は、縦横合計４０ｃｍ以内が目安とされている。
従来、食品封入用その他の用途に用いる透明なプラスチック製袋であってジッパーで再封入可能な袋は種々知られている。
また、容器に入れた化粧品やシャンプーなどをプラスチック製袋に入れて、詰め合わせ販売することも行われている。
また、スライドファスナーや提げ手を付けたプラスチック製袋は、例えば、特開２００５−８１６４号公報に開示されたものがある。
また、特開２００４−３５１１１１号公報のような仕切りを設けた袋も知られている。
【０００３】
【特許文献１】特実２００５−８１６７号公報
【特許文献２】特開２００４−３５１１１１号公報
【考案の開示】
【考案が解決しようとする課題】
【０００４】
本考案は上記事情に鑑み、機内に液体物を持込む際に使用する袋の行政上の条件を満たし、かつ、無色透明性を損なうことなく情報を付すことができるようにした機内液体物持込用袋を提供することにある。
【課題を解決するための手段】
【０００５】
上記課題を解決するために請求項１の考案では、
容量が１リットル以下の合成樹脂製の透明な平袋であって、袋本体の上方の中途位置に平袋の開口部を開閉するジッパー部を有しており、該ジッパー部の上方に延出する表裏一対の上方片部に貫通する取手穴を１または複数設けており、
前記平袋の表裏いずれか一方の面に空港の情報や広告または当該袋に使用方法や収納可能な物品名などの定型的な説明を表示する表示欄が設けられていることを特徴とする。
【０００６】
請求項２の考案では、
前記表示欄が、ジッパー部より下方の収納部の表面または裏面のいずれか一方のシート面の下方に配置されていることを特徴とする。
請求項３の考案では、
前記表示欄が、上方片部に配置されていることを特徴とする。
請求項４の考案では、
前記表示欄が、空港の情報または広告を表示する広告情報表示欄と、当該袋の使用方法や収納可能な物品リストなどの定型的な説明を表示する定型文表示欄とからなっていることを特徴とする。
【考案の効果】
【０００７】
本考案によれば、平袋の表裏いずれか一方のシート面にのみ空港の情報や広告または当該袋に収納可能な物品名を表示する表示欄が設けられており、他方のシート面は透明のままであるので、袋内に収納された容器への視認性を損なわずに上記情報を表示することができる。
また、機内液体物持込用袋には上部に取手穴を設けているので、持ち運びしやすく、またバッグなどからの袋の出し入れを容易に行うことができる。
更に、表示欄を袋本体ではなく取手穴を設けた上方片部に配置すれば、収納部の透明性が損なわれることがない。
【考案を実施するための最良の形態】
【０００８】
以下に本考案の機内液体物持込用袋の好適な実施形態について図面を参照しながら説明する。
【実施例１】
【０００９】
図１〜図３に示す実施例１の機内液体物持込用袋１は、表裏一対に折り曲げた無色透明の合成樹脂製フィルムの両側端をヒートシールした平袋からなっている。
【００１０】
上記機内液体物持込用袋１は、ポリプロピレンなどの再生可能な合成樹脂シートを用いることが好ましい。
また、平袋からなっているので、収納物の形状に応じて任意に撓むことができ、異なる形状の容器であっても効率的に収納することができる。
【００１１】
上記機内液体物持込用袋１の開口部１１は、図中、上方に形成されている。
そして、前記袋１の開口部１１寄りの中途位置には、再封止できるジッパー部２が設けられている。
【００１２】
このジッパー部２は、前記袋１の上端より所定長さだけ低位置に配置されている。
本実施例では、表裏のシート面の内面に、開口部１１の全幅に亘って断面凸状と断面凹状のレールからなる係脱可能な一組のジッパー片２１、２２を固着した構成からなっている（図２参照）。
【００１３】
このジッパー部２より上方が上方片部３となり、ジッパー部２より下方が、１リットルの容量を有する収納部４となっている。
このジッパー部２は、図２に示すように、上方片部３の両シート面３ａ、３ｂを相互に外側へ引っ張ることでジッパー片２１、２２を分離、開口させることができ、上方片部３の両シート面３ａ、３ｂを揃えてその各外面から挟圧することで図１や図３に示すようにジッパー片２１、２２を嵌合・封止させることができる公知構成からなっている。
【００１４】
該ジッパー部２より上方の上方片部３には、表裏の両シート面３ａ、３ｂを貫通する２つの並列に並ぶ取手穴５を形成している。
従って、上記一対の取手穴５に手指を差し込んで把持し、取り出したり持ち運んだりすることができる。
また、上記取手穴５を用いて、図示しないフックなどに掛止めることもできる。
本実施例では取手穴５は２つ設けたが１つでも、あるいは２つ以上であってもよい。
【００１５】
上記袋１のジッパー部２より下方の部分がジッパー部２により密封される収納部４となっている。
そして、該収納部４の表面シート４ａ、裏面シート４ｂいずれか一方のシート面（図示例では４ａとする）の下方に、広告や空港情報などの情報を表示する広告情報表示欄６が設けられており、他方のシート面（図示例では４ｂとする）は透明のままとなっている。
【００１６】
同様に、上記一方の面４ａには、上記袋１の使用方法や袋に収納すべき物品のリストなどの定型文を予め印刷しておく定型文表示欄７を設けてもよい。
定型文表示欄７の表示内容の一例を以下に示す。
「（１）１人１袋まで、個々の容器は１００ｍｌ以下
（２）検査場で検査員に提示
（３）入りきらないものは、スーツケース等に入れて航空会社カウンターへ
（４）下記の液体物はこのパックに入れて機内に持ち込むことができます
飲料水、硬水、スプレー、シェービングフォーム
シャンプー、リンス、クリーム、ローション、オイルなどの化粧品
その他、歯磨きなどの練り状のもの、半固形状のもの 
（５）医薬品、ベビーミルク等は、検査員に報告後、通常通り持ち込み可能です」
【００１７】
本実施例では、上記各表示欄６、７に相当するエリアに、文字や図形が印刷などで表示されている。
しかし、この考案では、例えば上記各表示欄６、７を枠で区切り、その内側に印刷したり、枠内を白色などで印刷しておき、その上に文字などを記載しうるようにしてもよい。
【００１８】
また、表示欄として広告情報表示欄６と定型文表示欄７を示したが、１つの表示欄に広告情報表示欄６の表示と定型文表示欄７の表示を一緒にして表示するものであってもよい。
あるいは、広告情報表示欄６のみを設けるものであってもよい。
このように上記各表示欄６、７は、表裏いずれか一方のシート面にのみ形成されるので、他方の面は完全に透明であり、収納物品を見る際に障害とならない。
【実施例２】
【００１９】
図４に示す実施例２の機内液体物持込用袋１は、前記実施例１と同様の構造からなっており、表示欄の配置が異なっている。
本実施例では表示欄は広告情報表示欄６と定型文表示欄７とからなっており、それらが、ジッパー部２より上部の上方片部３に表示されている。
【００２０】
また、本実施例では、各表示欄６、７は上方片部３の表裏いずれか一方のシート面でもよいし、両方のシート面３ａ、３ｂにそれぞれ表示するものであってもよい。
これら表示欄６、７があっても収納部４内の物品を隠すことは全くないからである。
【００２１】
また、本実施例で表示欄として広告情報表示欄６と定型文表示欄７を示したが、１つの表示欄に広告情報表示欄６の表示と定型文表示欄７の表示を一緒にして表示するものであってもよい。
あるいは、広告情報表示欄６のみを設けるものであってもよい。
その他、この考案は上記実施例に限定されるものではなく、要するにこの考案の要旨を変更しない範囲で種々設計変更しうること勿論である。
【図面の簡単な説明】
【００２２】
【図１】実施例１の機内液体物持込用袋の正面図である。
【図２】開口部を開いた状態の斜視図である。
【図３】容器を収納した状態の背面図である。
【図４】実施例２の機内液体物持込用袋の正面図である。
【符号の説明】
【００２３】
１    機内液体物持込用袋
２    ジッパー部
３    上方片部
４    収納部
５    取手穴
６    広告情報表示欄
７    定型文表示欄
【図１】
0003132148.tif 000003
【図２】
0003132148.tif 000004
【図３】
0003132148.tif 000005
【図４】
0003132148.tif 000006